(57)【要約】【課題】    発注者から依頼を受け受注者が作業を行うことで完成される業務のうち業務の一部又は全部を構成する素業務の内容を、該業務の発注後に変更することを管理する管理装置を提供する。【解決手段】該素業務の内容と変更可否情報と可能通知時期とを少なくとも記憶する工程記憶手段と、変更案を記憶する変更案記憶手段と、該素業務の内容、変更可否情報及び可能通知時期を該発注者に知らせる工程情報提供手段と、変更案を該発注者に知らせる変更案情報提供手段と、該発注者が変更案の中から所望する変更案を受け付ける受付手段と、該受付手段により受け付けられた該所望する変更案をそれに係る該受注者に通報する通報手段と、を備えてなる、管理装置である。【選択図】  図２
2006079527.tif 000002
【特許請求の範囲】
【請求項１】
発注者から依頼を受け受注者が作業を行うことで完成される業務のうち業務の一部又は全部を構成する素業務の内容を、該業務の発注後に変更することを管理する管理装置であって、
該素業務の内容と、該業務の発注後に該発注者から該素業務の内容を変更することが可能であるか否かを示す変更可否情報と、発注者から変更することが可能な通知時期である可能通知時期と、を少なくとも記憶する工程記憶手段と、
該素業務の内容に応じた、該素業務の内容を変更しうる変更案を記憶する変更案記憶手段と、
該工程記憶手段に記憶された該発注者に係る該素業務の内容、変更可否情報及び可能通知時期を該発注者に知らせる工程情報提供手段と、
該変更案記憶手段に記憶された変更案を該発注者に知らせる変更案情報提供手段と、
該工程情報提供手段により該素業務の内容、変更可否情報及び可能通知時期を知らされた該発注者が、該変更案情報提供手段により提供された変更案の中から所望する変更案を受け付ける受付手段と、
該受付手段により受け付けられた該所望する変更案を、該所望する変更案に係る該受注者に通報する通報手段と、
を備えてなる、管理装置。
【請求項２】
素業務の内容の少なくとも一部を含む検索条件を受け付ける検索条件受付部と、
該検索条件受付部により受け付けられた検索条件に応じて前記変更案記憶手段により記憶された該変更案の中から変更案の候補を抽出する抽出手段と、
をさらに備えてなり、
該抽出手段により抽出された変更案の候補を前記変更案情報提供手段が該発注者に知らせるものである、請求項１に記載の管理装置。
【請求項３】
前記検索条件が、少なくとも素業務の種類を特定する情報を含むものである、請求項２に記載の管理装置。
【請求項４】
前記受付手段により受け付けられた前記所望する変更案によって、前記工程記憶手段が記憶した前記素業務の内容を書き換える書換手段をさらに備えてなる、請求項１乃至３のいずれか１に記載の管理装置。
【請求項５】
前記業務が、異なる時期に実施されるべき少なくとも２以上の前記素業務を含んでなるものである、請求項１乃至４のいずれか１に記載の管理装置。
【請求項６】
請求項１乃至５のいずれかに記載の管理装置をコンピュータに実現させるためのプログラム。
【請求項７】
請求項１乃至５のいずれかに記載の管理装置をコンピュータに実現させるためのプログラムを記録したコンピュータ読みとり可能な記憶媒体。
【発明の詳細な説明】
【技術分野】
【０００１】
本発明は、業務の管理装置に関し、より詳細には、発注者から依頼を受け受注者が作業を行うことで完成される業務のうち業務の一部又は全部を構成する素業務の内容を、該業務の発注後に変更することを管理する管理装置に関する。
【背景技術】
【０００２】
発注者から依頼を受け受注者が作業を行うことで完成される業務が種々知られている。例えば、家屋を所有したいと欲する者が自分自身で家屋を建設すること（家屋建設工事）は難しいことから、家屋を所有したいと欲する者（発注者）が、家屋の建設（業務）を建設業者（受注者）に依頼し、建設業者（受注者）が作業を行うことで家屋が完成される。
【０００３】
このような発注者から依頼を受け受注者が作業を行うことで完成される業務は、これまで依頼する業務の内容を発注者が示し、受注者が該業務に係る作業を行うことを発注者と受注者との間で約した後（通常、請負契約等を結ぶことが多い。）、受注者が該業務に係る作業を行うことで完成される。例えば、上記した家屋を所有したいと欲する者（発注者）が、家屋の建設（業務）を建設業者（受注者）に依頼する例でいえば、家屋を所有したいと欲する者（発注者）が所望する家屋の仕様（例えば、間取り、部屋数、広さ、壁質等。即ち、該仕様がここでは依頼する業務の内容である。）を示し、建設業者等（受注者）が該業務（該家屋の建設）に係る作業を行うことを家屋を所有したいと欲する者（発注者）と建設業者（受注者）との間で約した後（発注者から受注者への支払い代金、該仕様、納期等を含め請負契約を結ぶ。）、建設業者等（受注者）が該業務（該家屋の建設）に係る作業を行うことで該業務（該家屋の建設）が完成される。
このような発注者から依頼を受け受注者が作業を行うことで完成される業務を管理する管理装置は、既にいくつかのものが知られている（例えば、特許文献１参照。）。
【０００４】
【特許文献１】特開２００３−３５０３７号公報（段落番号０００８〜００１３）
【発明の開示】
【発明が解決しようとする課題】
【０００５】
しかしながら、このような発注者から依頼を受け受注者が作業を行うことで完成される業務においては、発注者が示した依頼する業務の内容に係る作業を受注者が行うことを発注者と受注者との間で約した後、発注者が業務の内容を変更したいと欲することも多い。例えば、上記した家屋を所有したいと欲する者（発注者）が、家屋の建設（業務）を建設業者等（受注者）に依頼する例でいえば、家屋を所有したいと欲する者（発注者）が所望する家屋の仕様（例えば、間取り、部屋数、広さ、壁質等。即ち、該仕様がここでは依頼する業務の内容である。）を示し、建設業者等（受注者）が該業務（該家屋の建設）に係る作業を行うことを家屋を所有したいと欲する者（発注者）と建設業者等（受注者）との間で約した後、家屋を所有したいと欲する者（発注者）が家屋の仕様（例えば、間取り、部屋数、広さ、壁質等。）を変更したくなることもある（例えば、家屋の外壁の色を変更するような場合）。
一方、このような発注者から依頼を受け受注者が作業を行うことで完成される業務は、該業務の一部又は全部を構成する１又は２以上の素業務を含んでおり、依頼する業務の内容に係る作業を受注者が行うことを発注者と受注者との間で約した後、素業務それぞれについて変更可能かどうかは様々なことがある。例えば、上記した家屋を所有したいと欲する者（発注者）が、家屋の建設（業務）を建設業者（受注者）に依頼する例でいえば、業務（該家屋の建設）は、基礎工事、屋根瓦工事、クロス貼り工事、タイル工事、外壁塗装工事等の素業務を含んでおり、これらの工事がこの順番で着工されるとすれば、基礎工事を行っている時点ではクロス貼り工事、タイル工事、外壁塗装工事については変更可能かも知れないが、クロス貼り工事を行っている時点では屋根瓦工事については変更不可能（既に完成している。）であるが外壁塗装工事については変更可能なこともあり得る。
【０００６】
このように業務を構成する素業務の内容を該業務の発注後に変更できる場合には、それを許容することで、完成される該業務に関し発注者が一層高い満足を得ることができることから好ましいが、従来の管理装置（前述の特許文献１記載の装置も含めて）では、このような変更を許容することに十分対応できるものは知られていない。
そこで、本発明においては、発注者から依頼を受け受注者が作業を行うことで完成される業務のうち業務の一部又は全部を構成する素業務の内容を、該業務の発注後に変更することを管理する管理装置を提供することを目的とする。該管理装置により素業務の内容を該業務の発注後に変更することを容易ならしめることができ（発注者の意向により素業務の変更をより頻繁に行いうる。）、完成される該業務に関し発注者が一層高い満足を得ることができる。
【課題を解決するための手段】
【０００７】
本発明の業務の管理装置（以下、「本装置」という。）は、発注者から依頼を受け受注者が作業を行うことで完成される業務のうち業務の一部又は全部を構成する素業務の内容を、該業務の発注後に変更することを管理する管理装置であって、該素業務の内容と、該業務の発注後に該発注者から該素業務の内容を変更することが可能であるか否かを示す変更可否情報と、発注者から変更することが可能な通知時期である可能通知時期と、を少なくとも記憶する工程記憶手段と、該素業務の内容に応じた、該素業務の内容を変更しうる変更案を記憶する変更案記憶手段と、該工程記憶手段に記憶された該発注者に係る該素業務の内容、変更可否情報及び可能通知時期を該発注者に知らせる工程情報提供手段と、該変更案記憶手段に記憶された変更案を該発注者に知らせる変更案情報提供手段と、該工程情報提供手段により該素業務の内容、変更可否情報及び可能通知時期を知らされた該発注者が、該変更案情報提供手段により提供された変更案の中から所望する変更案を受け付ける受付手段と、該受付手段により受け付けられた該所望する変更案を、該所望する変更案に係る該受注者に通報する通報手段と、を備えてなる、管理装置である。
【０００８】
本装置は、前述のように、発注者から依頼を受け受注者が作業を行うことで完成される業務のうち業務の一部又は全部を構成する素業務の内容を、該業務の発注後に変更することを管理する管理装置である。ここに「素業務」とは、発注者から依頼を受け受注者が作業を行うことで完成される業務の一部又は全部を構成する工程をいい、該業務は少なくとも１（即ち、１又は２以上）の素業務を含む。例えば、前述の例で言えば、家屋建設が該業務に該当し、該業務たる該家屋建設に必要な基礎工事、屋根瓦工事、クロス貼り工事、タイル工事、外壁塗装工事等が素業務に該当する。
工程記憶手段は、該素業務の内容（例えば、工事（素業務）の種類、工事（素業務）代金、工事（素業務）の等級（グレード）、色、材質等その他の素業務の内容を示すものよりなる群より選ばれる１又は２以上のものを例示することができる。）と、該業務の発注後に該発注者から該素業務の内容を変更することが可能であるか否かを示す変更可否情報と、発注者から変更することが可能な通知時期である可能通知時期（素業務の内容を変更することが可能な通知時期の最終期限が少なくとも示されればよい。）と、を少なくとも記憶する。
変更案記憶手段は、素業務の内容（前述のように、例えば、工事（素業務）の種類、工事（素業務）代金、工事（素業務）の等級（グレード）、色、材質等その他の素業務の内容を示すものよりなる群より選ばれる１又は２以上のものを例示することができる。）に応じた、該素業務の内容を変更しうる変更案を記憶する。
【０００９】
そして、工程情報提供手段は、工程記憶手段に記憶された該発注者に係る該素業務の内容、変更可否情報及び可能通知時期を該発注者に知らせる。
変更案情報提供手段は、変更案記憶手段に記憶された変更案を該発注者に知らせる。
このため該発注者は、工程情報提供手段により該素業務の内容、変更可否情報及び可能通知時期を知らされ、変更案情報提供手段により変更案を知らされるので、素業務の内容を変更するための所望する変更案を選択することができる。かかる該発注者が所望する変更案は受付手段により受け付けられる。
さらに、通報手段は、受付手段により受け付けられた該発注者が所望する変更案を、該所望する変更案に係る該受注者に通報するので、該所望する変更案に係る該受注者は自らが該所望する変更案を実施する必要があることを知り迅速かつ確実に対応することができる。
以上のようにして本装置は、発注者から依頼を受け受注者が作業を行うことで完成される業務のうち業務の一部又は全部を構成する素業務の内容を、該業務の発注後に変更することを管理することができる。本装置により該業務の発注後に素業務の内容を発注者が変更することを容易ならしめることができ（発注者は、どの素業務をどのような内容にいつまでに通知すれば変更することができるかを容易かつ迅速に知ることができるので、発注者の意向により素業務の変更をより頻繁に行いうる。）、完成される該業務に関し発注者が一層高い満足を得ることができる。そして、発注者が所望する変更案に係る受注者も、自らが対応する必要があることを迅速かつ確実に知ることができるので、より的確な対応をすることができる。
【００１０】
素業務の内容の少なくとも一部を含む検索条件を受け付ける検索条件受付部と、該検索条件受付部により受け付けられた検索条件に応じて前記変更案記憶手段により記憶された該変更案の中から変更案の候補を抽出する抽出手段と、をさらに備えてなり、該抽出手段により抽出された変更案の候補を前記変更案情報提供手段が該発注者に知らせるもの（以下、「変更案検索装置」という。）であってもよい。
検索条件受付部は、素業務の内容（例えば、工事（素業務）の種類、工事（素業務）代金、工事（素業務）の等級（グレード）、色、材質等その他の素業務の内容を示すものよりなる群より選ばれる１又は２以上のものを例示することができる。）の少なくとも一部を含む検索条件を発注者から受け付ける。抽出手段は、検索条件受付部により受け付けられた検索条件に応じて、変更案記憶手段により記憶された変更案の中から変更案の候補（検索条件に合致した変更案）を抽出する。そして、変更案情報提供手段は、抽出手段により抽出された変更案の候補を発注者に知らせる。
このようにすれば、発注者が所望する変更案の内容（検索条件）に合致した変更案の候補のみを発注者が知ることができるので、発注者は、素業務の内容を変更するための変更案を容易に選択することができる（例えば、変更案記憶手段により記憶された変更案が多数存する場合では、それら全てを発注者が確認することは難儀であるが、事前に、発注者が所望する変更案の内容（検索条件）に合致した変更案の候補のみ（検索条件に合致するもののみであるので数が減る）を発注者に知らせるようにすれば、変更案の選択が容易になる。）。
【００１１】
変更案検索装置の場合、前記検索条件が、少なくとも素業務の種類を特定する情報を含むものであってもよい。
変更案記憶手段により記憶された変更案の中から、検索条件に合致した変更案の候補を抽出する場合、素業務の種類が異なる変更案の候補を抽出しても無駄であることが多いので（通常、同じ素業務の種類の変更案の候補を抽出すべきである。例えば、前述の例で言えば、素業務「屋根瓦工事」について変更案を選択する際に「屋根瓦工事」とは種類が異なる「クロス貼り工事」の変更案を抽出しても通常意味がない。）、検索条件が少なくとも素業務の種類を特定する情報を含むようにしてもよい。ここに素業務の種類を特定する情報とは、互換性のある同種の素業務を示す名称、番号、記号その他の識別標識をいい、例えば、クロス貼り工事であればそれを示す名称「クロス貼り工事」、本装置においてクロス貼り工事が例えば番号「４」によって示される場合であれば番号「４」であり、本装置においてクロス貼り工事が例えば記号「ＡＢ」によって示される場合であれば記号「ＡＢ」である。
【００１２】
前記受付手段により受け付けられた前記所望する変更案によって、前記工程記憶手段が記憶した前記素業務の内容を書き換える書換手段をさらに備えてなるものであってもよい。
こうすることで受付手段により受け付けられた発注者が所望する変更案（即ち、発注者が最終的に決定した変更案）により、工程記憶手段が記憶した素業務の内容を書換手段が書き換えるので、工程記憶手段が記憶した素業務が発注者が変更した後のものに更新される。従って、工程記憶手段の記憶が、発注者が変更した後の新しい内容になり、変更後の内容を把握しやすくなる。
【００１３】
前記業務が、異なる時期に実施されるべき少なくとも２以上の前記素業務を含んでなるものであってもよい。
このような異なる時期に実施されるべき（素業務の着工時期が少なくとも異なることをいう。）少なくとも２以上の前記素業務を含むことで、前記業務が進捗してゆく途中の様々な時点において、各素業務の内容を変更することが可能かどうかが変わってゆく（即ち、一部の素業務については既に変更できなくなった時点においても、残りの素業務については変更可能であるような場合もある。）。このような一部の素業務については既に変更できなくなった時点においても、残りの素業務については変更可能であるような場合にも、発注者は、どの素業務をどのような内容にいつまでに通知すれば変更することができるかを容易かつ迅速に知ることができるので、発注者の意向により素業務の変更をより頻繁かつ容易に行いうる。このため完成される業務に関し発注者が一層高い満足を得ることができると共に、発注者が所望する変更案に係る受注者も、自らが対応する必要があることを迅速かつ確実に知ることができるので、より的確かつ迅速な対応をすることができる。
【００１４】
本装置は、所定のプログラムをコンピュータに実行させることで実現させることができ、さらに、かかるプログラムはコンピュータ読みとり可能な記憶媒体に記録することができる。
【発明を実施するための最良の形態】
【００１５】
以下、本発明の実施の形態を図面を参照して説明する。しかしながら、これらによって本発明は何ら制限されるものではない。
【００１６】
図１は、一実施形態の本発明の業務の管理装置（本装置）１１のハードウエア構成を示す概略ブロック図である。図１を参照して、一実施形態の本装置１１のハードウエア構成について説明する。本装置１１は、インターネット１７（通信網）に接続され、インターネット１７を通じて図示しない情報端末（具体的には、後述するユーザー用情報端末１０１、管理者用情報端末２０１及び業者用情報端末３０１）との間で自由に情報のやりとりを行うことができるようになっている。なお、ここでは本装置１１はインターネット１７に接続されているが、本装置１１が接続される通信網としては、インターネット１７のみに限定されるものではなく、該通信網は、本装置１１が送受信する情報を伝達できるものであればいかなるものであってもよく、インターネット１７以外にも、例えば、イントラネット、電話、ファクシミリ等のような有線方式の通信網や、業務用無線等のような無線方式の通信網等を用いてもよい。
【００１７】
本実施形態では、本装置１１は、プログラムを内蔵させたコンピュータによって構成されており、本装置１１にはハードディスク１９が接続されている。
本装置１１は、演算処理を行うＣＰＵ１１ａ、ＣＰＵ１１ａの作業領域等となるＲＡＭ１１ｂ、制御プログラム等を記録するＲＯＭ１１ｃ、インターネット１７及びハードディスク１９と情報のやり取りを行うためのインターフェイス１１ｄと、を有する。なお、ここでは制御プログラム等はＲＯＭ１１ｃに記憶されているが、ハードディスク１９に記憶するようにしてよいことは言うまでもない。また、ここではインターネット１７を経由して、本装置１１は、他の情報端末（後述するユーザー用情報端末１０１、管理者用情報端末２０１及び業者用情報端末３０１）から自由にアクセスされることができるようになっている。
【００１８】
図２に、図１のハードウエアと主としてＲＯＭ１１ｃに記録されるプログラムにより実現される本装置１１の大まかな基本構成を示す概略機能ブロック図を示す。図２を参照して、本装置１１の基本構成について説明する。
本装置１１は、機能的には、工程記憶部２１と、工程変更部３１と、変更案抽出部４１と、変更案記憶部５１と、を有している。
そして、ユーザー用情報端末１０１、管理者用情報端末２０１及び業者用情報端末３０１が、インターネット１７を介して本装置１１に接続されるようになっている。これらユーザー用情報端末１０１、管理者用情報端末２０１及び業者用情報端末３０１は、後述するように、いずれも本装置１１との間で自由に情報（データ）を送受信できるようになっている。
なお、ここではユーザー用情報端末１０１及び業者用情報端末３０１とはそれぞれ１のもののみが図示されているが、実際には、ユーザー用情報端末１０１及び業者用情報端末３０１とはそれぞれ複数存している。
【００１９】
工程記憶部２１及び変更案記憶部５１には、所定の情報が予め記憶されている。なお、これら工程記憶部２１及び変更案記憶部５１は、前述のハードディスク１９の記憶領域の一部により構成される。
工程記憶部２１は、各ユーザーそれぞれの工程に関する情報を記憶している。表１は該情報の一例の一部を示したものである。表１は、ユーザー番号１００７９１の者（ユーザー）に係る家屋建設工事の工程に関する情報を示している。実際には、工程記憶部２１は、表１に示すような情報を複数の者（ユーザー）について記憶しているが、その中のユーザー番号１００７９１の者（ユーザー）に係る情報のみを表１では示している。
表１の情報に関し簡単に説明しておく。まず、ユーザー番号は、本装置１１を使用する者（ユーザー）それぞれについて割り振られた固有の番号であり、使用者（ユーザー）とユーザー番号とは一対一の対応関係を有している。このため本装置１１は、ユーザー番号によって使用者（ユーザー）を管理している。そして、暗証番号は、予め本装置１１の使用者（ユーザー）により届け出られた番号（他人からは未知）であり、後述するように、本装置１１の使用者（ユーザー）がユーザー用情報端末１０１を経由して本装置１１（工程変更部３１）にアクセスしてきたときに本人か否かを確認するためのものである。
工程については、ユーザー番号１００７９１の者（ユーザー）に係る家屋建設工事の工程を示したものであり、ここでは具体的には、基礎工事、屋根瓦工事、階段取付工事、流し台取付工事、建具・墨寸法取り、クロス貼り工事、タイル工事の各工程が示されている。
【００２０】
（表１）各ユーザーそれぞれの工程に関する情報
１  ユーザー番号：１００７９１（暗証番号：４０８２）
２  工程
（第１工程）・工程名称：基礎工事
・施工グレード：Ａ
・ユーザーによる仕様変更可否：不可
・施工予定日：２００４年９月３日〜２００４年９月１５日
・変更可能期限：なし
（第２工程）・工程名称：屋根瓦工事
・施工グレード：Ｂ
・ユーザーによる仕様変更可否：可
・施工予定日：２００４年９月１６日〜２００４年９月２２日
・変更可能期限：施工開始１４日前
（第３工程）・工程名称：階段取付工事
・施工グレード：Ａ
・ユーザーによる仕様変更可否：可
・施工予定日：２００４年９月２３日〜２００４年９月２４日
・変更可能期限：施工開始７日前
（第４工程）・工程名称：流し台取付工事
・施工グレード：Ｂ
・ユーザーによる仕様変更可否：不可
・施工予定日：２００４年９月２５日〜２００４年９月２７日
・変更可能期限：なし
（第５工程）・工程名称：建具・墨寸法取り
・施工グレード：Ａ
・ユーザーによる仕様変更可否：不可
・施工予定日：２００４年９月２５日〜２００４年９月２６日
・変更可能期限：なし
（第６工程）・工程名称：クロス貼り工事
・施工グレード：Ｂ
・ユーザーによる仕様変更可否：可
・施工予定日：２００４年９月２７日〜２００４年１０月５日
・変更可能期限：施工開始７日前
（第７工程）・工程名称：タイル工事
・施工グレード：Ｂ
・ユーザーによる仕様変更可否：可
・施工予定日：２００４年９月２７日〜２００４年１０月６日
・変更可能期限：施工開始７日前
【００２１】
表１においては、各工程毎に、工程名称、施工グレード、ユーザーによる仕様変更可否、施工予定日、変更可能期限の５の項目があり、工程名称は各工程の名称を示し、施工グレードは各工程施工の優劣の度合い（具体的には、施工グレード「Ａ」が最も高いレベルの施工を行うことを示し、施工グレード「Ｂ」、「Ｃ」、「Ｄ」・・・とゆくにつれて施工レベルが下がることを示す。）を示している。そして、ユーザーによる仕様変更可否は、各工程それぞれについて、本装置１１の使用者（ユーザー）により仕様を変更することが可能か否かを示しており（仕様変更が可能であれば「可」、不可能であれば「不可」とされている。）、施工予定日は各工程それぞれの予定施工日であり、そして変更可能期限は、各工程それぞれについて、本装置１１の使用者（ユーザー）により仕様を変更することが可能な場合（即ち、ユーザーによる仕様変更可否が「可」となっているもの）、仕様変更のためには施工開始日から何日前までにその旨を本装置１１に登録しなければいけないかを示している（例えば、第２工程の工程名称「屋根瓦工事」については、仕様を変更することが可能であるが（ユーザーによる仕様変更可否が「可」である。）、この仕様変更のためには施工開始日２００４年９月１６日から１４日前までにその旨を本装置１１に登録しなければいけないことが示されている。）。
このような各ユーザーそれぞれの工程に関する情報は、本装置１１の管理者が、管理者用情報端末２０１を用いて工程記憶部２１にアクセスし、工程記憶部２１に予め記憶させる。
【００２２】
変更案記憶部５１は、各工程に関して変更可能な案に関する情報を記憶している。表２は該情報の一例の一部を示したものである。表２は、クロス貼り工事に係る変更可能案に関する情報を示している。実際には、変更案記憶部５１は表２に示すような情報を各工程ごと（例えば、屋根瓦工事、階段取付工事、タイル工事等）に記憶しているが、その中のクロス貼り工事に係る情報のみをここでは示している。
表２の情報に関し簡単に説明しておく。工程名称は、変更の対象とする工程を示す名称であり、具体的には、表１に示す工程名称に対応するものである。即ち、表２では工程名称がクロス貼り工事となっており、表２に示された情報は、表１に示された各工程のうち第６工程のクロス貼り工事を変更するための案に関する情報である。前述の通り、屋根瓦工事、階段取付工事、タイル工事等についても、表２のような変更案に関する情報が変更案記憶部５１に記憶されている。
【００２３】
（表２）各工程に関する変更可能案
１  工程名称：クロス貼り工事
２  変更案
（第１変更案）・変更案名称：クロス貼り工事イ
・施工グレード：Ａ
・金額：１００，０００円
・仕様：色（白）、模様（なし）、質感（ソフト）
・業者：ａ工業株式会社（メールアドレス：・・・・）
（第２変更案）・変更案名称：クロス貼り工事ロ
・施工グレード：Ｂ
・金額：８０，０００円
・仕様：色（白）、模様（千鳥模様有り）、質感（ハード）
・業者：ｂ工業株式会社（メールアドレス：・・・・）
（第３変更案）・変更案名称：クロス貼り工事ハ
・施工グレード：Ｃ
・金額：６０，０００円
・仕様：色（薄ベージュ）、模様（なし）、質感（ソフト）
・業者：ｃ工業株式会社（メールアドレス：・・・・）
（第４変更案）・変更案名称：クロス貼り工事ニ
・施工グレード：Ｄ
・金額：４０，０００円
・仕様：色（薄ベージュ）、模様（なし）、質感（ハード）
・業者：ｄ工業株式会社（メールアドレス：・・・・）
（第５変更案）・変更案名称：クロス貼り工事ホ
・施工グレード：Ｅ
・金額：２０，０００円
・仕様：色（グレー）、模様（唐草模様有り）、質感（ソフト）
・業者：ｅ工業株式会社（メールアドレス：・・・・）
【００２４】
表２においては、各変更案ごとに、変更案名称、施工グレード、金額、仕様、業者の各項目があり、変更案名称は各変更案を特定するための名称であり、施工グレードは各工程施工の優劣の度合い（具体的には、施工グレード「Ａ」が最も高いレベルの施工を行うことを示し、施工グレード「Ｂ」、「Ｃ」、「Ｄ」・・・とゆくにつれて施工レベルが下がることを示す。）を示しており表１の施工グレードに対応している。そして、金額は各変更案ごとの費用額を示しており、仕様は各変更案の仕様の概要（ここでは貼る壁クロスの色、模様、質感について示している。）について表している。また、業者は、各変更案を施工する業者名と、その業者の連絡先メールアドレスが示されている。
このような各変更案ごとに関する情報は、本装置１１の管理者が、管理者用情報端末２０１を用いて変更案記憶部５１にアクセスし、変更案記憶部５１に予め記憶させる。
【００２５】
このように各ユーザーそれぞれの工程に関する情報が工程記憶部２１に記憶されると共に、各変更案ごとに関する情報が変更案記憶部５１に予め記憶された状態において、本装置１１の使用者（ユーザー）が、ユーザー用情報端末１０１を経由して工程変更部３１にアクセスする。具体的には、本装置１１の使用者（ユーザー）が、該使用者を特定するユーザー番号と暗証番号とを含む情報（以下、「ＩＤ情報」という。）をユーザー用情報端末１０１を用いて工程変更部３１に送信する（例えば、本装置１１の使用者（ユーザー）が、該使用者を特定するユーザー番号１００７９１と暗証番号４０８２とを含む情報をユーザー用情報端末１０１を用いて送信する。）。
【００２６】
ＩＤ情報を受信した工程変更部３１は、工程記憶部２１にアクセスし、工程記憶部２１に記憶された各ユーザーそれぞれの工程に関する情報（以下、「工程情報」という。）のうち該ＩＤ情報に含まれるユーザー番号に該当する工程情報を抽出し取得する。そして、工程変更部３１は、該抽出し取得した工程情報に含まれる暗証番号が、該ＩＤ情報に含まれる暗証番号と一致するか否か判断し、両暗証番号が一致すれば、該抽出し取得した工程情報と、該使用者（ユーザー）が変更を欲する工程を選択する画面と、を合成した信号（以下、「合成信号」という。）をユーザー用情報端末１０１に送信する（ユーザー用情報端末１０１は、工程変更部３１から受信した合成信号を用いて、該抽出し取得した工程情報と、該使用者（ユーザー）が変更を欲する工程を選択する画面と、が合成された画面を表示する。）。従って、例えば、ＩＤ情報としてユーザー番号１００７９１と暗証番号４０８２とを含む情報がユーザー用情報端末１０１から工程変更部３１に送信された場合には、工程変更部３１は、工程記憶部２１からユーザー番号１００７９１によって表１に示す工程情報を抽出取得し、該抽出し取得した表１の工程情報に含まれる暗証番号４０８２がＩＤ情報に含まれる暗証番号４０８２と一致すると判断して該抽出し取得した表１に示す工程情報（表３においては、第２項「工程」の項目が該当する。）と、該使用者（ユーザー）が変更を欲する工程を選択する画面（表３においては、第３項「変更工程選択」の項目が該当する。）と、が合成された表３に示す画面を表示する合成信号をユーザー用情報端末１０１に送信することで、ユーザー用情報端末１０１に表３に示す項目を画面に表示させる。なお、ここでユーザー用情報端末１０１に送信した該抽出し取得した工程情報（以下、「対象工程情報」という。）は、工程変更部３１によって記憶される。
また、ＩＤ情報を受信した工程変更部３１は、工程記憶部２１に記憶された工程情報のうち該ＩＤ情報に含まれるユーザー番号に該当する工程情報が存しない場合と、該ＩＤ情報に含まれるユーザー番号に該当する工程情報に含まれる暗証番号が該ＩＤ情報に含まれる暗証番号と一致しない場合と、のいずれかの場合には、ユーザー用情報端末１０１からのアクセスを拒絶する信号（具体的には、ユーザー用情報端末１０１の画面に「アクセスが無効です」という文言を表示する信号）をユーザー用情報端末１０１へ送信する。
【００２７】
（表３）工程情報及び変更工程選択画面
１  ユーザー番号：１００７９１（暗証番号：４０８２）
２  工程
（第１工程）・工程名称：基礎工事
・施工グレード：Ａ
・ユーザーによる仕様変更可否：不可
・施工予定日：２００４年９月３日〜２００４年９月１５日
・変更可能期限：なし
（第２工程）・工程名称：屋根瓦工事
・施工グレード：Ｂ
・ユーザーによる仕様変更可否：可
・施工予定日：２００４年９月１６日〜２００４年９月２２日
・変更可能期限：施工開始１４日前
（第３工程）・工程名称：階段取付工事
・施工グレード：Ａ
・ユーザーによる仕様変更可否：可
・施工予定日：２００４年９月２３日〜２００４年９月２４日
・変更可能期限：施工開始７日前
（第４工程）・工程名称：流し台取付工事
・施工グレード：Ｂ
・ユーザーによる仕様変更可否：不可
・施工予定日：２００４年９月２５日〜２００４年９月２７日
・変更可能期限：なし
（第５工程）・工程名称：建具・墨寸法取り
・施工グレード：Ａ
・ユーザーによる仕様変更可否：不可
・施工予定日：２００４年９月２５日〜２００４年９月２６日
・変更可能期限：なし
（第６工程）・工程名称：クロス貼り工事
・施工グレード：Ｂ
・ユーザーによる仕様変更可否：可
・施工予定日：２００４年９月２７日〜２００４年１０月５日
・変更可能期限：施工開始７日前
（第７工程）・工程名称：タイル工事
・施工グレード：Ｂ
・ユーザーによる仕様変更可否：可
・施工予定日：２００４年９月２７日〜２００４年１０月６日
・変更可能期限：施工開始７日前
３  変更工程選択
・工程番号：？
・施工グレード：？
・金額：？〜？
【００２８】
ユーザー用情報端末１０１が、工程変更部３１からの表３に示すような画面（以下、「合成画面」という。）を表示するための合成信号を受信し該合成信号を用いて合成画面を表示することで、本装置１１の使用者（ユーザー）が、自らの工程情報（表３においては、第２項「工程」の項目が該当する。前述の表１に示したような情報。）を見ることができる。そして、該使用者（ユーザー）は、自らの工程情報（表３においては、第２項「工程」の項目が該当する。前述の表１に示したような情報。）中の「ユーザーによる仕様変更可否」、「施工予定日」及び「変更可能期限」から、自らの各工程が今後変更可能か否かを知ることができる。
そして、該使用者（ユーザー）は、自らの各工程のうち変更可能なものであって変更を欲するものと、その変更後希望する施工グレード及び金額と、を指示する。具体的には、ここではユーザー用情報端末１０１の画面に表示された合成画面中の第３項「変更工程選択」（表３においては、第３項「変更工程選択」の項目が該当する。）の該当項目に該使用者（ユーザー）がデータを入力し、該データを工程変更部３１へ送信する（該データ入力後、入力ボタンを押すことで送信される。）ことによって行われる。まず、第３項「変更工程選択」の「工程番号」については、該使用者（ユーザー）が変更を欲する工程の番号を入力し（例えば、表３中の第６工程を選択する場合は、「６」を入力する。）、「施工グレード」については該使用者（ユーザー）が希望する変更後のグレードを入力し（例えば、変更を欲する工程の変更後の希望グレードがＡであれば「Ａ」を入力する。）、そして「金額」については該使用者（ユーザー）が希望する変更後の金額（費用）を入力する（例えば、変更を欲する工程の変更後の金額（費用）が２万円以上かつ６万円以下である場合には、「２００００〜６００００」と入力する。また、変更後の金額（費用）については、下限又は上限のいずれか一方のみの指定も可能である。）。なお、「施工グレード」及び「金額」とのいずれか一方又は両方に関し希望がない場合には、その部分については空欄のまま工程変更部３１へデータ送信される（入力ボタンを押す。）。そして、該使用者（ユーザー）が、自らの各工程のうち変更を欲するものがない場合には、「工程番号」を空欄として、工程変更部３１へデータ送信される（入力ボタンを押す。）。
このようにして表３の第３項「変更工程選択」の該当項目に該使用者（ユーザー）がデータを入力等したもの（変更を欲する工程がない場合には何らのデータも入力されない。）がユーザー用情報端末１０１から工程変更部３１へ送信される（このユーザー用情報端末１０１から工程変更部３１へ送信される信号を「選択信号」という。）。
【００２９】
選択信号をユーザー用情報端末１０１から受信した工程変更部３１は、選択信号の中の「工程番号」が空欄か否か判断し、空欄であれば作業を終了し、空欄でなければ、該受信した選択信号に含まれる工程番号から工程名称を特定し（例えば、選択信号に含まれる工程番号が「６」であれば、工程変更部３１自身が記憶している対象工程情報（表１のような情報）の中から、第６工程の工程名称「クロス貼り工事」を特定する。）、該受信した選択信号に該特定した工程名称を付記した信号（以下、「変更要求信号」という。）を作成し変更案抽出部４１へ送信する。例えば、該受信した選択信号として「工程番号：６、施工グレード：？（空欄）、金額：２００００〜７００００」（「工程番号」が空欄ではない。）をユーザー用情報端末１０１から受信した工程変更部３１は、変更要求信号として「工程名称：クロス貼り工事、工程番号：６、施工グレード：？（空欄）、金額：２００００〜７００００」を変更案抽出部４１へ送信する。
変更要求信号を工程変更部３１から受信した変更案抽出部４１は、変更案記憶部５１にアクセスし、変更案記憶部５１が記憶している各工程に関して変更可能な案に関する情報（例えば、表２に示されたような情報）の中から変更要求信号に合致する情報を抽出取得し、該抽出取得された情報を工程変更部３１に送信する。変更要求信号として「工程名称：クロス貼り工事、工程番号：６、施工グレード：？（空欄）、金額：２００００〜７００００」を受信した変更案抽出部４１は、変更案記憶部５１が記憶している表２に示された各工程に関して変更可能な案に関する情報から、表４に示す情報を抽出取得し（変更要求信号中の工程名称「クロス貼り工事」が、変更案記憶部５１が記憶している各工程に関する変更可能な案中の「工程名称：クロス貼り工事」（表２中、第１項）に合致し（変更案の変更案名称の最初の部分「クロス貼り工事」に合致するものを抽出するようにしてもよい。）、変更要求信号中の施工グレードが変更案の施工グレードに合致し、変更要求信号中の金額が変更案の金額に合致するものを抽出取得する。なお、変更要求信号「工程名称：クロス貼り工事、工程番号：６、施工グレード：？（空欄）、金額：２００００〜７００００」の施工グレードのように空欄の項目についてはその項目によって絞り込みを行わない。もし、変更要求信号「工程名称：クロス貼り工事、工程番号：６、施工グレード：Ｃ、金額：２００００〜７００００」であったならば、表４中の第３変更案が抽出取得される。）、該抽出取得された情報を工程変更部３１に送信する。なお、変更案抽出部４１は、変更案記憶部５１が記憶している各工程に関して変更可能な案に関する情報に変更要求信号に合致する情報が存しない場合には、該当がないことを示す信号を工程変更部３１に送信する。
【００３０】
（表４）変更要求信号に合致する情報
（第３変更案）・変更案名称：クロス貼り工事ハ
・施工グレード：Ｃ
・金額：６０，０００円
・仕様：色（薄ベージュ）、模様（なし）、質感（ソフト）
・業者：ｃ工業株式会社（メールアドレス：・・・・）
（第４変更案）・変更案名称：クロス貼り工事ニ
・施工グレード：Ｄ
・金額：４０，０００円
・仕様：色（薄ベージュ）、模様（なし）、質感（ハード）
・業者：ｄ工業株式会社（メールアドレス：・・・・）
（第５変更案）・変更案名称：クロス貼り工事ホ
・施工グレード：Ｅ
・金額：２０，０００円
・仕様：色（グレー）、模様（唐草模様有り）、質感（ソフト）
・業者：ｅ工業株式会社（メールアドレス：・・・・）
【００３１】
該抽出取得された情報（表４に示すような情報）を変更案抽出部４１から受信した工程変更部３１は、該抽出取得された情報（表４に示すような情報。表５においては第１項「該当変更案」の項目が該当する。）と、該使用者（ユーザー）が変更案を選択する画面（表５においては第２項「変更案選択」の項目が該当する。）と、を合成した信号（以下、「変更案合成信号」という。変更案合成信号は、例えば、表５に示すような項目をユーザー用情報端末１０１の画面に表示させるような信号である。）をユーザー用情報端末１０１に送信する（ユーザー用情報端末１０１は、工程変更部３１から受信した変更案合成信号を用いて、該抽出取得された情報（表４に示すような情報。表５においては第１項「該当変更案」の項目が該当する。）と、該使用者（ユーザー）が変更案を選択する画面（表５においては第２項「変更案選択」の項目が該当する。）と、が合成された表５に示すような項目を含む画面を表示する。）。なお、工程変更部３１は、ユーザー用情報端末１０１に送信した変更案合成信号のうち該抽出取得された情報（表４に示すような情報）を記憶しておく。
変更案記憶部５１が記憶している各工程に関して変更可能な案に関する情報に変更要求信号に合致する情報が存しないことを示す信号（前記該当がないことを示す信号）を変更案抽出部４１から受信した工程変更部３１は、「該当なし」という文言を表示する信号をユーザー用情報端末１０１に送信する（ユーザー用情報端末１０１は、「該当なし」という文言を表示する。）。
【００３２】
（表５）変更案合成信号が含む項目
１  該当変更案
（第３変更案）・変更案名称：クロス貼り工事ハ
・施工グレード：Ｃ
・金額：６０，０００円
・仕様：色（薄ベージュ）、模様（なし）、質感（ソフト）
・業者：ｃ工業株式会社（メールアドレス：・・・・）
（第４変更案）・変更案名称：クロス貼り工事ニ
・施工グレード：Ｄ
・金額：４０，０００円
・仕様：色（薄ベージュ）、模様（なし）、質感（ハード）
・業者：ｄ工業株式会社（メールアドレス：・・・・）
（第５変更案）・変更案名称：クロス貼り工事ホ
・施工グレード：Ｅ
・金額：２０，０００円
・仕様：色（グレー）、模様（唐草模様有り）、質感（ソフト）
・業者：ｅ工業株式会社（メールアドレス：・・・・）
２  変更案選択
・変更案番号：？
【００３３】
ユーザー用情報端末１０１が工程変更部３１からの信号（表５に示すような変更案合成信号又は該「該当なし」という文言を表示する信号）を受信し画面に表示することで、本装置１１の使用者（ユーザー）が、自らが変更を希望する工程に関しどのような変更可能な案（表５の第１項目「該当変更案」に示すような案）があるか又はないか（「該当なし」）を知ることができる。
そして、該使用者（ユーザー）は、自らが変更を希望する工程について変更可能な案（表５の第１項目「該当変更案」に示すような案）がある場合、これら変更可能な案のいずれかへ変更するか否かを検討し、いずれかへ変更するときにはその希望する変更案の番号をユーザー用情報端末１０１に入力する（具体的には、表５の第２項目「変更案選択」の「変更案番号」に変更案の番号を入力する。例えば、表５の第１項目「該当変更案」中の第３変更案を選択する場合は、「３」を入力する。）。希望する変更案の番号を入力し終えたら、該使用者（ユーザー）は、その入力データを含む信号（以下、「変更案選択信号」という。）を工程変更部３１へ送信する（具体的には、入力ボタンを押す。）。なお、該使用者（ユーザー）が、変更可能な案のいずれかへ変更しないときには、変更案の番号をユーザー用情報端末１０１に入力しないまま、信号（以下、「変更案無選択信号」という。）を工程変更部３１へ送信する（具体的には、入力ボタンを押す。）。
【００３４】
使用者（ユーザー）が選択した変更案がいずれの変更案かを示す変更案選択信号又は使用者（ユーザー）が変更を希望しないことを示す変更案無選択信号のいずれかをユーザー用情報端末１０１から受信した工程変更部３１は、変更案無選択信号であれば動作を終了し、変更案選択信号であれば次の上書き動作及び通知動作を行う。
まず、上書き動作は、工程変更部３１が工程記憶部２１にアクセスし、該使用者（ユーザー）に係る工程情報（対象工程情報）に含まれる各工程の中のうち変更案選択信号に該当する変更案に該当する部分を該該当する変更案によって上書きする（即ち、変更案選択信号に該当する変更案によって、工程記憶部２１が記憶している工程情報の該当部分が書き変えられる。）。この上書き動作は、ユーザー用情報端末１０１に送信した変更案合成信号のうち該抽出取得された情報（表４に示すような情報。これは前述のように工程変更部３１が記憶している。）の中から変更案選択信号に該当する変更案を工程変更部３１が特定し、さらに工程変更部３１が記憶している対象工程情報から工程記憶部２１の工程情報のいずれが上書き対象になるかを工程変更部３１が特定した後、該上書き対象中の、該変更案選択信号に該当する変更案に該当する部分を、該該当する変更案によって上書きすることによって行われる。例えば、変更案選択信号に希望する変更案の番号として表５の「４」が含まれていれば、ユーザー用情報端末１０１に送信した変更案合成信号のうち該抽出取得された情報（表４に示すような情報。これは前述のように工程変更部３１が記憶している。）の中から変更案選択信号（ここでは「４」を含む。）に該当する変更案たる第４変更案を工程変更部３１が特定し、さらに工程変更部３１が記憶している対象工程情報（表１のような情報）から工程記憶部２１の工程情報のいずれが上書き対象になるかを工程変更部３１が特定した後、該上書き対象中の、該変更案選択信号に該当する変更案たる第４変更案に該当する部分（ここでは第６工程のクロス貼り工事である。変更案名称と工程名称とから特定してもよい。）を、該該当する変更案たる第４変更案によって上書きする。これにより上書きされた例を表６に示す（具体的には、第６工程のクロス貼り工事における施工グレードがＢであったものが、第４変更案の施工グレードＤにかわっている。）。
【００３５】
（表６）上書き後の工程情報
１  ユーザー番号：１００７９１（暗証番号：４０８２）
２  工程
（第１工程）・工程名称：基礎工事
・施工グレード：Ａ
・ユーザーによる仕様変更可否：不可
・施工予定日：２００４年９月３日〜２００４年９月１５日
・変更可能期限：なし
（第２工程）・工程名称：屋根瓦工事
・施工グレード：Ｂ
・ユーザーによる仕様変更可否：可
・施工予定日：２００４年９月１６日〜２００４年９月２２日
・変更可能期限：施工開始１４日前
（第３工程）・工程名称：階段取付工事
・施工グレード：Ａ
・ユーザーによる仕様変更可否：可
・施工予定日：２００４年９月２３日〜２００４年９月２４日
・変更可能期限：施工開始７日前
（第４工程）・工程名称：流し台取付工事
・施工グレード：Ｂ
・ユーザーによる仕様変更可否：不可
・施工予定日：２００４年９月２５日〜２００４年９月２７日
・変更可能期限：なし
（第５工程）・工程名称：建具・墨寸法取り
・施工グレード：Ａ
・ユーザーによる仕様変更可否：不可
・施工予定日：２００４年９月２５日〜２００４年９月２６日
・変更可能期限：なし
（第６工程）・変更案名称：クロス貼り工事
・施工グレード：Ｄ
・ユーザーによる仕様変更可否：可
・施工予定日：２００４年９月２７日〜２００４年１０月５日
・変更可能期限：施工開始７日前
（第７工程）・工程名称：タイル工事
・施工グレード：Ｂ
・ユーザーによる仕様変更可否：可
・施工予定日：２００４年９月２７日〜２００４年１０月６日
・変更可能期限：施工開始７日前
【００３６】
そして、通知動作は、工程変更部３１が、変更案選択信号に該当する変更案を施工する業者の業者用情報端末３０１に向けて、変更案選択信号に該当する変更案と、記憶している対象工程情報と、を対にして電子メールとして送信する。なお、これは前述のように変更案選択信号に該当する変更案と、記憶している対象工程情報と、は工程変更部３１が記憶しており、さらに該該当する変更案に含まれるメールアドレスに向けてこれらの対にされた情報を送信することで行われる。
該対にされた変更案と対象工程情報との情報を受信した業者用情報端末３０１に係る業者は、これら受信した情報を業者用情報端末３０１の画面に表示し、内容を確認した上で要求された内容（例えば、クロス貼り工事）について対応する。
【００３７】
次いで、本装置１１の動作について説明する。
図３は、本装置１１の動作を示すフローチャートである。図３を参照して、本装置１１の動作について説明する。
前述のように、各ユーザーそれぞれの工程に関する所定の情報が工程記憶部２１に予め記憶されると共に、各変更案ごとに関する情報が変更案記憶部５１に予め記憶されているものとする。
まず、本装置１１の工程変更部３１は、ユーザー用情報端末１０１からユーザー番号と暗証番号とを含むＩＤ情報を受信したか否か判断し（ｓ１０１）、ＩＤ情報を受信したと判断しない場合（ＮＯ）には再びｓ１０１へ戻る。ｓ１０１にてＩＤ情報を受信したと判断した場合（ＹＥＳ）には、工程変更部３１は、工程記憶部２１にアクセスし、工程記憶部２１に記憶された各ユーザーそれぞれの工程に関する工程情報のうち該ＩＤ情報に含まれるユーザー番号に該当する工程情報が存するか否か判断する（ｓ１０２）。ｓ１０２にて工程情報が存すると判断した場合（ＹＥＳ）、工程変更部３１は、ユーザー番号に該当する工程情報を抽出し取得する（ｓ１０３）。ｓ１０３の後、工程変更部３１は、該抽出し取得した工程情報に含まれる暗証番号が、該ＩＤ情報に含まれる暗証番号と一致するか否か判断し（ｓ１０４）、両暗証番号が一致すれば（ＹＥＳ）、該抽出し取得した工程情報と、該使用者（ユーザー）が変更を欲する工程を選択する画面と、を合成した合成信号を作成しユーザー用情報端末１０１に送信する（ｓ１０５）。
なお、ｓ１０２にて工程情報が存すると判断しない場合（ＮＯ）と、ｓ１０４にて両暗証番号が一致しないと判断した場合（ＮＯ）と、はユーザー用情報端末１０１からのアクセスを拒絶する信号（具体的には、ユーザー用情報端末１０１の画面に「アクセスが無効です」という文言を表示する信号）をユーザー用情報端末１０１へ送信し（ｓ１０６）、再びｓ１０１へ戻る。
【００３８】
図４は、ｓ１０５の後の動作を示すフローチャートである。図４に示すフローチャートを参照してｓ１０５の後の動作について説明する。
なお、ｓ１０５とｓ２０１との間には、前述の通り、ユーザー用情報端末１０１が、工程変更部３１からの表３に示すような画面（合成画面）を表示し、本装置１１の使用者（ユーザー）が、自らの各工程のうち変更可能なものであって変更を欲するものと、その変更後希望する施工グレード及び金額と、を表３の第３項「変更工程選択」の該当項目に入力等したもの（変更を欲する工程がない場合には何らのデータも入力されない。）がユーザー用情報端末１０１から工程変更部３１へ送信されるが、かかる動作は本装置１１の動作ではないのでここでは説明を省略する。
ｓ１０５にて合成信号を送信した工程変更部３１は、ユーザー用情報端末１０１から選択信号を受信したか否か判断し（ｓ２０１）、受信していないと判断した場合（ＮＯ）には再びｓ２０１へ戻る。ｓ２０１にて受信したと判断した場合（ＹＥＳ）には、工程変更部３１は、受信した選択信号の中の「工程番号」が空欄か否か判断し（ｓ２０２）、空欄であると判断した場合（ＹＥＳ）にはｓ１０１へ戻り、空欄でないと判断した場合（ＮＯ）には該受信した選択信号に含まれる工程番号から工程名称を特定し、該受信した選択信号に該特定した工程名称を付記した変更要求信号を作成し変更案抽出部４１へ送信する（ｓ２０３）。
ｓ２０３にて工程変更部３１から送信された変更要求信号を受信した変更案抽出部４１は、変更案記憶部５１にアクセスし、変更案記憶部５１が記憶している各工程に関して変更可能な案に関する情報の中に変更要求信号に合致する情報が存するか否か判断し（ｓ２０４）、合致する情報が存すると判断する場合（ＹＥＳ）には合致する情報を抽出取得し該抽出取得された情報を工程変更部３１に送信する（ｓ２０５）。ｓ２０４にて合致する情報が存すると判断しない場合（ＮＯ）には該当がないことを示す信号を工程変更部３１に送信する（ｓ２０６）。
【００３９】
図５は、ｓ２０５及びｓ２０６の後の動作を示すフローチャートである。図５を参照して、ｓ２０５及びｓ２０６の後のｓ３０１以降の動作について説明する。
工程変更部３１は、変更案抽出部４１から受信した信号が該当がないことを示す信号か否か判断し（ｓ３０１）、該受信した信号が該当がないことを示す信号であると判断した場合（ＹＥＳ）には工程変更部３１は、「該当なし」という文言を表示する信号をユーザー用情報端末１０１に送信する（ｓ３０２）。ｓ３０２の後、ｓ１０１へ戻る。
ｓ３０１にて該受信した信号が該当がないことを示す信号であると判断しない場合（ＮＯ）には工程変更部３１は、ｓ２０５にて変更案抽出部４１から送信された該抽出取得された情報（表４に示すような情報）と、該使用者（ユーザー）が変更案を選択する画面と、を合成した変更案合成信号（表５）を生成しユーザー用情報端末１０１に送信する（ｓ３０３）。
【００４０】
なお、ｓ３０３からｓ３０４までには、前述の通り、ユーザー用情報端末１０１が工程変更部３１からの信号（表５に示すような変更案合成信号（ｓ３０３）又は該「該当なし」という文言を表示する信号（ｓ３０２））を受信し画面に表示し、本装置１１の使用者（ユーザー）が、変更可能な案のいずれかへ変更するか否かを検討し、変更案の番号をユーザー用情報端末１０１に入力してその入力データを含む信号（変更案選択信号）又は変更案の番号を入力しない信号（変更案無選択信号）を工程変更部３１へ送信するが、かかる動作は本装置１１の動作ではないのでここでは説明を省略する。
ｓ３０３の後、工程変更部３１は、ユーザー用情報端末１０１から信号を受信したか否か判断し（ｓ３０４）、ユーザー用情報端末１０１から信号を受信したと判断しない場合（ＮＯ）には再びｓ３０４へ戻る。ｓ３０４にてユーザー用情報端末１０１から信号を受信したと判断した場合（ＹＥＳ）には、該受信した信号が使用者（ユーザー）が変更を希望しないことを示す変更案無選択信号か否か判断し（ｓ３０５）、変更案無選択信号であると判断した場合（ＹＥＳ）ｓ１０１へ戻る。ｓ３０５にて変更案無選択信号であると判断しない場合（ＮＯ）、上書き動作を行い（ｓ３０６）、さらに通知動作を行う（ｓ３０７）。
ｓ３０７の後、作業終了か否か判断し（ｓ３０８）、作業終了であれば（ＹＥＳ）作業を終了し（ＥＮＤ）、作業終了でなければ（ＮＯ）ｓ１０１へ戻る。
【００４１】
以上説明したように、本装置１１は、発注者たる使用者（ユーザー）から依頼を受け受注者たる業者が作業を行うことで完成される業務（家屋建設工事）のうち業務（家屋建設工事）の一部を構成する素業務（基礎工事、屋根瓦工事、階段取付工事、流し台取付工事、建具・墨寸法取り、クロス貼り工事、タイル工事の各工程）の内容を、該業務（家屋建設工事）の発注後に変更することを管理する管理装置である。そして、該素業務の内容（例えば、表１中では、第１工程から第７工程の各工程における「工程名称」と「施工グレード」との項目が該当する。）と、該業務（家屋建設工事）の発注後に該発注者たる使用者（ユーザー）から該素業務（基礎工事、屋根瓦工事、階段取付工事、流し台取付工事、建具・墨寸法取り、クロス貼り工事、タイル工事の各工程）の内容（例えば、表１中では、第１工程から第７工程の各工程における「工程名称」と「施工グレード」との項目が該当する。）を変更することが可能であるか否かを示す変更可否情報（例えば、表１中では、第１工程から第７工程の各工程における「ユーザーによる仕様変更可否」の項目が該当する。）と、発注者たる使用者（ユーザー）から変更することが可能な通知時期である可能通知時期（例えば、表１中では、第１工程から第７工程の各工程における「施工予定日」と「変更可能期限」とによって示される。これら「施工予定日」と「変更可能期限」とによって、素業務の内容を変更することが可能な通知時期の最終期限が少なくとも示される。）と、を少なくとも記憶する工程記憶手段たる工程記憶部２１と、該素業務（基礎工事、屋根瓦工事、階段取付工事、流し台取付工事、建具・墨寸法取り、クロス貼り工事、タイル工事の各工程。例えば、クロス貼り工事。）の内容（例えば、表１中では、第１工程から第７工程の各工程における「工程名称」と「施工グレード」との項目が該当する。）に応じた、該素業務の内容を変更しうる変更案（例えば、該素業務がクロス貼り工事であれば、表２中の第１変更案から第５変更案）を記憶する変更案記憶手段たる変更案記憶部５１と、該工程記憶手段たる工程記憶部２１に記憶された該発注者たる使用者（ユーザー）に係る該素業務（基礎工事、屋根瓦工事、階段取付工事、流し台取付工事、建具・墨寸法取り、クロス貼り工事、タイル工事の各工程）の内容（例えば、表１中では、第１工程から第７工程の各工程における「工程名称」と「施工グレード」との項目が該当する。）、変更可否情報（例えば、表１中では、第１工程から第７工程の各工程における「ユーザーによる仕様変更可否」の項目が該当する。）及び可能通知時期（例えば、表１中では、第１工程から第７工程の各工程における「施工予定日」と「変更可能期限」とによって示される。）を該発注者たる使用者（ユーザー）に知らせる工程情報提供手段たる工程変更部３１（ｓ１０５を参照されたい。）と、該変更案記憶手段たる変更案記憶部５１に記憶された変更案（例えば、表２中の第１変更案から第５変更案）を該発注者たる使用者（ユーザー）に知らせる変更案情報提供手段（ここでは工程変更部３１と変更案抽出部４１とによって構成される。ｓ２０３、ｓ２０４、ｓ２０５、ｓ３０３を参照されたい。）と、該工程情報提供手段たる工程変更部３１により該素業務の内容、変更可否情報及び可能通知時期を知らされた該発注者たる使用者（ユーザー）が、該変更案情報提供手段（ここでは工程変更部３１と変更案抽出部４１とによって構成される。）により提供された変更案（表５中、第３変更案、第４変更案、第５変更案）の中から所望する変更案（例えば、第４変更案）を受け付ける受付手段たる工程変更部３１（ｓ３０４を参照されたい。）と、該受付手段たる工程変更部３１により受け付けられた該所望する変更案（例えば、第４変更案）を、該所望する変更案（例えば、第４変更案）に係る該受注者たる業者（ｄ工業株式会社）に電子メールにて通報する通報手段たる工程変更部３１（ｓ３０７を参照されたい。）と、を備えてなる、管理装置である。なお、ここではそうしていないが、工程記憶手段たる工程記憶部２１は、該素業務の内容として、表１中の第１工程から第７工程の各工程の費用（金額）をさらに記憶するようにしてもよい。そして、工程記憶手段たる工程記憶部２１において、発注者たる使用者（ユーザー）から変更することが可能な通知時期である可能通知時期として、「施工予定日」と「変更可能期限」とを記憶することに替えて、素業務の内容を変更することが可能な通知時期の最終期限（例えば、最終日、最終日時、最終月等）を直接記憶するようにしてよいことは言うまでもない。
【００４２】
さらに本装置１１においては、素業務（基礎工事、屋根瓦工事、階段取付工事、流し台取付工事、建具・墨寸法取り、クロス貼り工事、タイル工事の各工程）の内容（例えば、表１中では、第１工程から第７工程の各工程における工事（素業務）の種類を示す「工程名称」と「施工グレード」との項目が該当する。）の少なくとも一部（ここでは工事（素業務）の種類を示す「工程番号」と「施工グレード」。表３の第３項「変更工程選択」を参照されたい。）を含む検索条件（ここでは「工程番号」、「施工グレード」及び「金額」を有する。表３の第３項「変更工程選択」を参照されたい。）を受け付ける検索条件受付部たる工程変更部３１（ｓ２０１を参照されたい。）と、該検索条件受付部たる工程変更部３１により受け付けられた検索条件に応じて前記変更案記憶手段たる変更案記憶部５１により記憶された該変更案（例えば、表２中の第１変更案から第５変更案）の中から変更案の候補を抽出する抽出手段たる変更案抽出部４１（ｓ２０４、ｓ２０５を参照されたい。）と、をさらに備えてなり、該抽出手段たる変更案抽出部４１により抽出された変更案の候補（表５中、第３変更案、第４変更案、第５変更案）を前記変更案情報提供手段（ここでは工程変更部３１と変更案抽出部４１とによって構成される。）が該発注者に知らせる（ｓ２０５）。
また、ここでは前記検索条件（「工程番号」、「施工グレード」及び「金額」）が、少なくとも素業務の種類を特定する情報（ここでは工事（素業務）の種類を示す「工程番号」が該当する。）を含むものである。
【００４３】
そして、本装置１１においては、前記受付手段たる工程変更部３１により受け付けられた前記所望する変更案によって、前記工程記憶手段たる工程記憶部２１が記憶した前記素業務の内容を書き換える書換手段たる工程変更部３１（ｓ３０６を参照されたい。）をさらに備えてなる。
加えて、前記業務（家屋建設工事）が、異なる時期に実施されるべき少なくとも２以上の前記素業務（基礎工事、屋根瓦工事、階段取付工事、流し台取付工事、建具・墨寸法取り、クロス貼り工事、タイル工事の各工程。これらの各工程は、着工時期が少なくとも異なる。）を含んでなるものである。
また、本装置１１は、所定のプログラムをコンピュータに実行させることで構成されたものであり（図１を参照されたい。）、さらに、かかるプログラムはコンピュータに読みとり可能な記憶媒体に記録することができる。
【図面の簡単な説明】
【００４４】
【図１】一実施形態の本発明の業務の管理装置（本装置）のハードウエア構成を示す概略ブロック図である。
【図２】本装置の概略機能ブロック図である。
【図３】本装置の動作を示すフローチャートである。
【図４】ｓ２０１以降の本装置の動作を示すフローチャートである。
【図５】ｓ３０１以降の本装置の動作を示すフローチャートである。
【符号の説明】
【００４５】
１１          本装置
１１ａ        ＣＰＵ
１１ｂ        ＲＡＭ
１１ｃ        ＲＯＭ
１１ｄ        インターフェイス
１７          インターネット
１９          ハードディスク
２１          工程記憶部
３１          工程変更部
４１          変更案抽出部
５１          変更案記憶部
１０１          ユーザー用情報端末
２０１          管理者用情報端末
３０１          業者用情報端末
【図１】
2006079527.tif 000003
【図２】
2006079527.tif 000004
【図３】
2006079527.tif 000005
【図４】
2006079527.tif 000006
【図５】
2006079527.tif 000007